(57)【要約】【課題】種々の大きさのラップフィルム箱に対して保護機能を容易に付与する。【解決手段】シール部１１０は、後面シール部１２０、上面シール部１３０、及び前面シール部１４０を備えている。後面シール部１２０と上面シール部１３０とを連結する第１シール連結部Ｌ１には、第１シール連結部Ｌ１の屈曲の起点となる第１溝部Ｋ１が複数設けられている。上面シール部１３０と前面シール部１４０とを連結する第２シール連結部Ｌ２には、第２シール連結部Ｌ２の屈曲の起点となる第２溝部Ｋ２が設けられている。【選択図】図３
2020059519.tif 000002
【特許請求の範囲】
【請求項１】
ラップフィルム箱の外面に貼り付けられるシール部を備えるラップフィルム箱用シール材であって、
前記シール部は、
第１シール部と、
第２シール部と、
前記第１シール部と前記第２シール部との間に配置された中央シール部と、
前記第１シール部と前記中央シール部との間に位置し、前記第１シール部と前記中央シール部とを屈曲可能に連結する第１シール連結部と、
前記中央シール部と前記第２シール部との間に位置し、前記中央シール部と前記第２シール部とを屈曲可能に連結する第２シール連結部と、
を有し、
前記第１シール連結部には、前記第１シール部と前記中央シール部とが隣接する方向である第１方向に対して交差する第２方向に沿って延在すると共に、前記第１シール連結部の屈曲の起点となる第１屈曲起点部が複数設けられ、
複数の前記第１屈曲起点部は、前記第１方向に沿って互いに予め定められた距離離間しており、
前記第２シール連結部には、前記第２方向に沿って延在すると共に、前記第２シール連結部の屈曲の起点となる第２屈曲起点部が設けられている、ラップフィルム箱用シール材。
【請求項２】
前記第１屈曲起点部は、溝部によって構成されている、請求項１に記載のラップフィルム箱用シール材。
【請求項３】
前記シール部の接着層に剥離可能に貼り付けられた台紙を更に備え、
前記台紙のうち前記第１シール連結部が対向する領域である台紙対向領域には、前記第２方向に沿って延在する台紙切込部が複数設けられ、
複数の前記台紙切込部は、前記第１方向に沿って互いに予め定められた距離離間している、請求項１又は２に記載のラップフィルム箱用シール材。
【請求項４】
前記シール部は、前記第２シール部の端部のうち前記第２シール連結部が連結される側の端部に対して反対側の端部に分離可能に連結された小切片を更に備える、請求項１〜３のいずれか一項に記載のラップフィルム箱用シール材。
【請求項５】
前記シール部は、保持シールを更に備え、
前記第２シール部と前記小切片とは互いに分離しており、
前記保持シールは、前記第２シール部及び前記小切片を跨ぐように、前記第２シール部及び前記小切片における前記ラップフィルム箱に貼り付けられる側の面に対して反対側の面に剥離可能に貼り付けられ、
前記小切片は、前記保持シールによって前記第２シール部に分離可能に連結される、請求項４に記載のラップフィルム箱用シール材。
【請求項６】
前記シール部には、前記第１方向に沿って延在するシール切込部が設けられている、請求項１〜５のいずれか一項に記載のラップフィルム箱用シール材。
【請求項７】
前記ラップフィルム箱は、
１面が開口すると共に内部にラップフィルムを収容する空間を有する直方体形状の箱体と、
前記箱体の開口部の周縁の一辺に連結されると共に前記開口部を開閉可能に覆う蓋体と、
を備えており、
前記蓋体は、
前記箱体の前記開口部を開閉可能に覆うと共に、前記箱体の前記開口部の周縁の一辺に連結される蓋本体部と、
前記蓋本体部の端部のうち前記箱体に連結される側に対して反対側の端部に連結され、前記蓋本体部が前記箱体の前記開口部を覆った状態において前記箱体の外面に重ねられる蓋重なり部と、
を備えており、
前記第１シール部は、前記蓋重なり部の外面に貼り付けられ、
前記中央シール部は、前記蓋本体部の外面に貼り付けられ、
前記第２シール部は、前記箱体の外面のうち、端部に前記蓋本体部が連結される面に貼り付けられる、請求項１〜６のいずれか一項に記載のラップフィルム箱用シール材。
【請求項８】
請求項１〜７のいずれか一項に記載のラップフィルム箱用シール材を用いたラップフィルム箱の保護方法であって、
前記第２屈曲起点部の位置で前記シール部を屈曲させると共に、前記ラップフィルム箱の大きさに合わせて複数の前記第１屈曲起点部のいずれかの位置で前記シール部を屈曲させる屈曲工程と、
前記シール部を前記ラップフィルム箱の外面に貼り付ける貼付工程と、を含む、ラップフィルム箱の保護方法。
【発明の詳細な説明】
【技術分野】
【０００１】
本発明は、ラップフィルム箱用シール材、及びラップフィルム箱の保護方法に関する。
【背景技術】
【０００２】
従来、ラップフィルムは、調理時等において使用されている。このようなラップフィルムは、巻き回された状態でラップフィルム箱に収容されている。例えば、調理時にラップフィルムが使用される場合、水分等がラップフィルム箱に付着することがある。このため、例えば、特許文献１には、ラップフィルム箱に樹脂を塗布して保護機能を付与することが記載されている。
【先行技術文献】
【特許文献】
【０００３】
【特許文献１】特開平９−１３２２３５号公報
【発明の概要】
【発明が解決しようとする課題】
【０００４】
ここで、例えば、既存のラップフィルム箱に対して、家庭において樹脂を塗布することは容易ではない。また、ラップフィルム箱の大きさも様々である。そこで、本発明は、種々の大きさのラップフィルム箱に対して保護機能を容易に付与可能なラップフィルム箱用シール材、及びラップフィルム箱の保護方法を提供することを目的とする。
【課題を解決するための手段】
【０００５】
本発明の一側面は、ラップフィルム箱の外面に貼り付けられるシール部を備えるラップフィルム箱用シール材であって、シール部は、第１シール部と、第２シール部と、第１シール部と第２シール部との間に配置された中央シール部と、第１シール部と中央シール部との間に位置し、第１シール部と中央シール部とを屈曲可能に連結する第１シール連結部と、中央シール部と第２シール部との間に位置し、中央シール部と第２シール部とを屈曲可能に連結する第２シール連結部と、を有し、第１シール連結部には、第１シール部と中央シール部とが隣接する方向である第１方向に対して交差する第２方向に沿って延在すると共に、第１シール連結部の屈曲の起点となる第１屈曲起点部が複数設けられ、複数の第１屈曲起点部は、第１方向に沿って互いに予め定められた距離離間しており、第２シール連結部には、第２方向に沿って延在すると共に、第２シール連結部の屈曲の起点となる第２屈曲起点部が設けられている。
【０００６】
このラップフィルム箱用シール材は、シール部がラップフィルム箱の外面に貼り付けられることによって、ラップフィルム箱に保護機能を付与することができる。また、シール部は、第１シール連結部及び第２シール連結部において屈曲可能である。このため、シール部は、第１シール部、中央シール部、及び第２シール部によって、ラップフィルム箱の外面の３つの面をそれぞれ覆う（保護する）ことができる。ここで、第１シール連結部には、第１屈曲起点部が複数設けられている。このため、シール部は、複数の第１屈曲起点部のうち、ラップフィルム箱の大きさに対応する位置の第１屈曲起点部で屈曲させられ得る。すなわち、シール部は、第１シール連結部の屈曲位置と第２シール連結部の屈曲位置との間隔を、中央シール部が貼り付けられるラップフィルム箱の外面の幅に対応させることができる。これにより、ラップフィルム箱用シール材の使用者は、シール部をラップフィルム箱の外面の幅に合わせて容易に貼り付けることができる。以上のように、このラップフィルム箱用シール材は、種々の大きさのラップフィルム箱に対して保護機能を容易に付与できる。
【０００７】
第１屈曲起点部は、溝部によって構成されていてもよい。この場合、使用者は、中央シール部を貼り付ける外面の幅に応じた位置の第１屈曲起点部を起点として、第１シール連結部を容易に屈曲させることができる。
【０００８】
ラップフィルム箱用シール材は、シール部の接着層に剥離可能に貼り付けられた台紙を更に備え、台紙のうち第１シール連結部が対向する領域である台紙対向領域には、第２方向に沿って延在する台紙切込部が複数設けられ、複数の台紙切込部は、第１方向に沿って互いに予め定められた距離離間していてもよい。この場合、使用者は、中央シール部を貼り付ける外面の幅に応じて台紙を剥離できる等、貼り付ける部分のみシール部から台紙を剥離することができる。これにより、使用者は、シール部の貼り付け作業を容易に行うことができる。
【０００９】
ラップフィルム箱用シール材において、シール部は、第２シール部の端部のうち第２シール連結部が連結される側の端部に対して反対側の端部に分離可能に連結された小切片を更に備えていてもよい。これにより、使用者は、第２シール部が貼り付けられる外面の大きさに応じて小切片を分離することができ、所望の外面のみを覆うことができる。
【００１０】
ラップフィルム箱用シール材において、シール部は、保持シールを更に備え、第２シール部と小切片とは互いに分離しており、保持シールは、第２シール部及び小切片を跨ぐように、第２シール部及び小切片におけるラップフィルム箱に貼り付けられる側の面に対して反対側の面に剥離可能に貼り付けられ、小切片は、保持シールによって第２シール部に分離可能に連結されていてもよい。この場合、ラップフィルム箱用シール材は、台紙がシール部から剥離された場合であっても、保持シールによって小切片を分離可能に保持できる。
【００１１】
ラップフィルム箱用シール材において、シール部には、第１方向に沿って延在するシール切込部が設けられていてもよい。この場合、シール部は、シール切込部で分割させられ得る。すなわち、第２方向の長さの異なるシール部が得られる。これにより、使用者は、ラップフィルム箱の長さに応じたシール部を得ることができ、ラップフィルム箱の外面に容易にシール部を貼り付けることができる。
【００１２】
ラップフィルム箱は、１面が開口すると共に内部にラップフィルムを収容する空間を有する直方体形状の箱体と、箱体の開口部の周縁の一辺に連結されると共に開口部を開閉可能に覆う蓋体と、を備えており、蓋体は、箱体の開口部を開閉可能に覆うと共に、箱体の開口部の周縁の一辺に連結される蓋本体部と、蓋本体部の端部のうち箱体に連結される側に対して反対側の端部に連結され、蓋本体部が箱体の開口部を覆った状態において箱体の外面に重ねられる蓋重なり部と、を備えており、第１シール部は、蓋重なり部の外面に貼り付けられ、中央シール部は、蓋本体部の外面に貼り付けられ、第２シール部は、箱体の外面のうち、端部に蓋本体部が連結される面に貼り付けられてもよい。この場合、ラップフィルム箱用シール材は、蓋本体部の幅に応じた第１屈曲起点部が選択されることにより、蓋本体部の幅に対応させて第１屈曲起点部及び第２屈曲起点部が屈曲させられ得る。これにより、使用者は、ラップフィルム箱における蓋本体部の幅に合わせて、容易にシール部を貼り付けることができる。
【００１３】
本発明の一側面は、上記のラップフィルム箱用シール材を用いたラップフィルム箱の保護方法であって、第２屈曲起点部の位置でシール部を屈曲させると共に、ラップフィルム箱の大きさに合わせて複数の第１屈曲起点部のいずれかの位置でシール部を屈曲させる屈曲工程と、シール部をラップフィルム箱の外面に貼り付ける貼付工程と、を含む。
【００１４】
このラップフィルム箱の保護方法によれば、使用者は、シール部をラップフィルム箱の外面に貼り付けることによって、ラップフィルム箱に保護機能を付与することができる。また、ラップフィルム箱用シール材は、第１シール連結部の屈曲位置と第２シール連結部の屈曲位置との間隔を、中央シール部が貼り付けられるラップフィルム箱の外面の幅に対応させることができる。これにより、使用者は、シール部をラップフィルム箱の外面の幅に合わせて容易に貼り付けることができる。以上のように、このラップフィルム箱用シール材は、種々の大きさのラップフィルム箱に対して保護機能を容易に付与できる。
【発明の効果】
【００１５】
本発明の種々の側面によれば、種々の大きさのラップフィルム箱に対して保護機能を容易に付与できる。
【図面の簡単な説明】
【００１６】
【図１】実施形態に係るラップフィルム箱用シール材のシール部がラップフィルム箱に貼り付けられた状態を示す斜視図である。
【図２】図１のラップフィルム箱の蓋体が開いた状態を示す断面図である。
【図３】ラップフィルム箱用シール材の平面図である。
【図４】ラップフィルム箱用シール材の積層構造を示す断面図である。
【図５】ラップフィルム箱用シール材の第１シール連結部周りの構造を示す断面図である。
【図６】ラップフィルム箱用シール材の第２シール連結部周りの構造を示す断面図である。
【図７】前面シール部と小切片との連結構成を示す断面図である。
【図８】蓋本体部周りにおいてシール部が貼り付けられた状態を示す断面図である。
【図９】台紙が一部のみ剥離されてシール部が貼り付けられた状態を示す断面図である。
【図１０】前壁部の下部においてシール部が貼り付けられた状態を示す断面図である。
【図１１】変形例に係るラップフィルム箱用シール材の平面図である。
【発明を実施するための形態】
【００１７】
以下、本発明の実施形態について図面を参照しながら説明する。なお、図面の説明において同一の要素には同一の符号を付し、重複する説明を省略する。
【００１８】
図１及び図２に示されるように、ラップフィルム箱用シール材１００のシール部１１０は、ラップフィルム巻回体２を収容するラップフィルム箱１の外面に貼り付けられる。
【００１９】
まず、ラップフィルム箱１及びラップフィルム巻回体２の詳細について説明する。ラップフィルム巻回体２は、筒状の巻芯２１、及び巻芯２１に巻き回されたラップフィルム２２を備えている。巻芯２１は、軸線Ｐに沿って延在する略円筒状の部材である。巻芯２１の材質は、例えばボール紙等の紙であってもよい。ラップフィルム２２は、例えば、樹脂フィルム等であってもよい。このラップフィルム２２は、例えば、食品の包装用等に用いられる。
【００２０】
ラップフィルム箱１は、ラップフィルム巻回体２を収容する。ラップフィルム箱１の材質は、例えばボール紙等の紙であってもよい。ラップフィルム箱１は、箱体３、蓋体４、及び切断部５を備えている。箱体３は、開口部３ａによって１面が開口すると共に内部にラップフィルムを収容する空間を有する直方体形状の部材である。箱体３は、ラップフィルム巻回体２を収容する。
【００２１】
以下、説明の便宜上のため、箱体３の底壁部３１（図２参照）に対して開口部３ａが設けられている側を「上」とし、その反対側を「下」とする。また、ラップフィルム箱１は、巻芯２１の軸線Ｐが水平方向に延在するようにラップフィルム巻回体２を収容する。すなわち、上下方向の軸と、軸線Ｐとは、互いに直交している。上下方向の軸と軸線Ｐとのそれぞれに直交する軸を前後方向の軸とする。ただし、これらの「上」、「下」、「前」、「後」、及び「水平」は、説明の便宜上のために付したものであり、この向きでラップフィルム箱１等が用いられることに限定されない。
【００２２】
箱体３は、底壁部３１、前壁部３２、後壁部３３、側壁部３４、及び側壁部３５を備えている。底壁部３１は、軸線Ｐに沿って延びる長方形の板状を呈している。前壁部３２は、底壁部３１の前側の端縁に連結され、底壁部３１から上方に向かって立ち上がっている。後壁部３３は、底壁部３１の後ろ側の端縁に連結され、底壁部３１から上方に向かって立ち上がっている。すなわち、前壁部３２と後壁部３３とは、前後方向において互いに対向している。
【００２３】
側壁部３４（図１参照）は、底壁部３１における軸線Ｐに沿った方向の一方の端縁に連結され、底壁部３１から上方に向かって立ち上がっている。側壁部３４における前側の端縁及び後ろ側の端縁は、前壁部３２及び後壁部３３にそれぞれ連結されている。側壁部３５は、底壁部３１における軸線Ｐに沿った方向の他方の端縁に連結され、底壁部３１から上方に向かって立ち上がっている。側壁部３５における前側の端縁及び後ろ側の端縁は、前壁部３２及び後壁部３３にそれぞれ連結されている。すなわち、側壁部３４と側壁部３５とは、軸線Ｐに沿った方向において互いに対向している。
【００２４】
前壁部３２の上端縁、後壁部３３の上端縁、側壁部３４の上端縁、及び側壁部３５の上端縁によって囲まれる領域が、箱体３の内側と外側とをつなぐ開口部３ａとなる。また、前壁部３２の上端縁、後壁部３３の上端縁、側壁部３４の上端縁、及び側壁部３５の上端縁は、開口部３ａの周縁３ｂとなる。ラップフィルム巻回体２のラップフィルム２２は、開口部３ａを介して箱体３から引き出される。
【００２５】
蓋体４は、箱体３の開口部３ａの周縁３ｂの一辺に連結されると共に、開口部３ａを開閉可能に覆う。具体的には、蓋体４は、蓋本体部４１、蓋重なり部４２、蓋側壁部４３、及び蓋側壁部４４を備えている。蓋本体部４１は、箱体３の開口部３ａの周縁３ｂの一辺に連結される。本実施形態において、蓋本体部４１は、開口部３ａの周縁３ｂのうち、前壁部３２の上端縁に連結されている。蓋本体部４１は、前壁部３２に対して揺動させられることにより、開口部３ａを開閉可能に覆う。ここで、蓋本体部４１と前壁部３２との連結部を、第２箱連結部Ｄ２と称する。
【００２６】
蓋重なり部４２は、蓋本体部４１の端部のうち箱体３に連結される側に対して反対側の端部に連結される。ここで、蓋本体部４１と蓋重なり部４２との連結部を、第１箱連結部Ｄ１と称する。蓋重なり部４２は、蓋本体部４１が開口部３ａを覆った状態において、箱体３の外面に重ねられる（図１参照）。本実施形態において、蓋重なり部４２は、後壁部３３の外面に重ねられる。
【００２７】
蓋本体部４１及び蓋重なり部４２における軸線Ｐに沿った両端部には、蓋側壁部４３及び４４がそれぞれ設けられている。蓋側壁部４３は、蓋本体部４１の一方の端縁と蓋重なり部４２の一方の端縁とを連結している。蓋側壁部４４は、蓋本体部４１の他方の端縁と蓋重なり部４２の他方の端縁とを連結している。これにより、蓋本体部４１に対する蓋重なり部４２の開き角度が変化しないように、蓋重なり部４２が蓋本体部４１に連結される。
【００２８】
切断部５は、箱体３から引き出されたラップフィルム２２を切断する。切断部５は、蓋重なり部４２の端部における蓋本体部４１に連結される側に対して反対側の端部に設けられる。
【００２９】
次に、シール部１１０の詳細について説明する。ここでは、シール部１１０がラップフィルム箱１に貼り付けられる前の状態のラップフィルム箱用シール材１００を用いて説明する。図３に示されるように、ラップフィルム箱用シール材１００は、シール部１１０、及び台紙１９０（図４参照）を備えている。シール部１１０は、より詳細には、図４に示されるように、シール本体部１１０ａ、及び接着層１１０ｂを備えている。なお、図４に示される、シール本体部１１０ａ、接着層１１０ｂ、及び台紙１９０の厚さは、各部の構成を明確にするために模式的に描いたものであり、実際の各部の厚さの比率は図示されている厚さの比率と異なっていてもよい。図４以外の他の断面図についても同様とする。
【００３０】
シール本体部１１０ａは、シート状の部材であり、シール部１１０の表面を構成する。シール本体部１１０ａの材質は、例えば、樹脂、ボール紙等の紙であってもよい。シール本体部１１０ａの材質は、例えば、撥水性、抗菌性等を有する材質であってもよい。シール本体部１１０ａの表面には、例えば、撥水加工、抗菌加工等の加工が施されていてもよい。
【００３１】
接着層１１０ｂは、シール本体部１１０ａをラップフィルム箱１の外面に貼り付けるための材質を含んでいる。接着層１１０ｂは、シート状のシール本体部１１０ａの一方の面（ラップフィルム箱１に貼り付けられる側の面）に設けられている。接着層１１０ｂは、ラップフィルム箱１の外面に対してシール本体部１１０ａを剥離可能に貼り付ける。これにより、シール部１１０の再利用が可能となる。
【００３２】
台紙１９０は、シール部１１０の接着層１１０ｂに対して剥離可能に貼り付けられている。台紙１９０は、シール部１１０がラップフィルム箱１の外面に貼り付けられるときには、シール部１１０から剥離される。
【００３３】
以下、断面図を用いたシール部１１０等の構成の説明では、シール部１１０がシール本体部１１０ａ及び接着層１１０ｂを有していることの図示を省略する。
【００３４】
次に、シール部１１０の各部の構成の詳細について説明する。図３に示されるように、シール部１１０は、後面シール部（第１シール部）１２０、上面シール部（中央シール部）１３０、前面シール部（第２シール部）１４０、複数の小切片１５０、保持シール１８０、第１シール連結部Ｌ１、及び第２シール連結部Ｌ２を備えている。
【００３５】
上面シール部１３０は、後面シール部１２０と、前面シール部１４０との間に配置されている。第１シール連結部Ｌ１は、後面シール部１２０と上面シール部１３０との間に位置し、後面シール部１２０と上面シール部１３０とを屈曲可能に連結する。具体的には、第１シール連結部Ｌ１には、図３及び図５に示されるように、第１シール連結部Ｌ１の屈曲の起点となる第１屈曲起点部として、第１溝部（溝部）Ｋ１が複数設けられている。第１溝部Ｋ１は、シール部１１０がラップフィルム箱１の外面に貼り付けられる側の面（接着層１１０ｂが設けられている側の面）に設けられている。
【００３６】
図３に示されるように、後面シール部１２０と上面シール部１３０とが隣接する方向を、第１方向とする。第１方向に交差する方向を第２方向とする。本実施形態において、第１方向と第２方向とは互いに直交している。図３及び図５に示されるように、第１溝部Ｋ１は、第２方向に沿って延在している。また、複数の第１溝部Ｋ１は、第１方向に沿って互いに予め定められた距離離間している。
【００３７】
ここで、図５に示されるように、台紙１９０のうち、第１シール連結部Ｌ１が対向する領域である第１台紙対向領域（台紙対向領域）Ｍ１には、第２方向に沿って延在する第１台紙切込部（台紙切込部）Ｓ１が複数設けられている。複数の第１台紙切込部Ｓ１は、第１方向に沿って互いに予め定められた距離離間している。本実施形態において、第１台紙切込部Ｓ１は、第１溝部Ｋ１と対向する位置に設けられている。
【００３８】
第２シール連結部Ｌ２は、図３及び図６に示されるように、上面シール部１３０と前面シール部１４０との間に位置し、上面シール部１３０と前面シール部１４０とを屈曲可能に連結する。第２シール連結部Ｌ２には、第２シール連結部Ｌ２の屈曲の起点となる第２屈曲起点部として、第２溝部Ｋ２が設けられている。第２溝部Ｋ２は、シール部１１０がラップフィルム箱１の外面に貼り付けられる側の面（接着層１１０ｂが設けられている側の面）に設けられている。本実施形態において、第２溝部Ｋ２は、一つのみ設けられている。第２溝部Ｋ２は、第２方向に沿って延在している。
【００３９】
ここで、図６に示されるように、台紙１９０のうち、第２シール連結部Ｌ２が対向する領域である第２台紙対向領域Ｍ２には、第２方向に沿って延在する第２台紙切込部Ｓ２が設けられている。本実施形態において、第２台紙切込部Ｓ２は、第２溝部Ｋ２と対向する位置に設けられている。
【００４０】
図３及び図７に示されるように、小切片１５０は、第２方向に沿って延在する帯状の部材である。複数の小切片１５０は、第１方向に沿って並べて配置される。複数の１５０は、互いに分離可能に連結される。また、複数の小切片１５０は、前面シール部１４０の端部のうち第２シール連結部Ｌ２が連結される側の端部に対して反対側の端部に分離可能に連結される。
【００４１】
より詳細には、複数の小切片１５０は、互いに分離している。複数の小切片１５０と前面シール部１４０とは、互いに分離している。保持シール１８０は、前面シール部１４０及び複数の小切片１５０を跨ぐように、前面シール部１４０及び小切片１５０における接着層１１０ｂ側（ラップフィルム箱１に貼り付けられる側）の面に対して反対側の面に剥離可能に貼り付けられている。小切片１５０は、保持シール１８０によって前面シール部１４０に分離可能に連結される。これにより、シール部１１０から台紙１９０が剥離されても、保持シール１８０によって、前面シール部１４０及び複数の小切片１５０が分離することなく連結状態が保持される。
【００４２】
また、図３に示されるように、シール部１１０は、側面シール部１６０、側面シール部１７０、第３シール連結部Ｌ３、及び第４シール連結部Ｌ４を備えている。側面シール部１６０及び側面シール部１７０は、第２方向において上面シール部１３０を挟み込みように配置される。
【００４３】
第３シール連結部Ｌ３は、上面シール部１３０と側面シール部１６０との間に位置し、上面シール部１３０と側面シール部１６０とを屈曲可能に連結する。第３シール連結部Ｌ３には、第２シール連結部Ｌ２と同様に、第３シール連結部Ｌ３の屈曲の起点となる溝が設けられている。第４シール連結部Ｌ４は、上面シール部１３０と側面シール部１７０との間に位置し、上面シール部１３０と側面シール部１７０とを屈曲可能に連結する。第４シール連結部Ｌ４には、第２シール連結部Ｌ２と同様に、第４シール連結部Ｌ４の屈曲の起点となる溝が設けられている。第３シール連結部Ｌ３及び第４シール連結部Ｌ４の構成は、第２シール連結部Ｌ２の構成と同様であり、詳細な説明を省略する。また、台紙１９０における第３シール連結部Ｌ３に対向する部分及び第４シール連結部Ｌ４に対向する部位にも、第２台紙切込部Ｓ２と同様に、台紙切込部がそれぞれ設けられていてもよい。
【００４４】
次に、シール部１１０の各部が貼り付けられるラップフィルム箱１の外面について説明する。なお、シール部１１０は、ラップフィルム箱１の外面に貼り付けられた状態においては、台紙１９０が剥離された状態となっている。図１及び図２に示されるように、後面シール部１２０は、蓋体４の蓋重なり部４２の外面に貼り付けられる。上面シール部１３０は、蓋体４の蓋本体部４１の外面に貼り付けられる。側面シール部１６０は、蓋体４の蓋側壁部４３の外面に貼り付けられる。側面シール部１７０は、蓋体４の蓋側壁部４４の外面に貼り付けられる。前面シール部１４０は、ラップフィルム箱１の外面のうち、端部に蓋本体部４１が連結される面に貼り付けられる。すなわち、前面シール部１４０は、ラップフィルム箱１の前壁部３２の外面に貼り付けられる。
【００４５】
より詳細には、図８に示されるように、第２シール連結部Ｌ２は、第２台紙切込部Ｓ２を起点として屈曲させられる。上面シール部１３０及び前面シール部１４０は、第２シール連結部Ｌ２の屈曲部分（第２台紙切込部Ｓ２）が第２箱連結部Ｄ２に対向するように、蓋本体部４１及び前壁部３２の外面にそれぞれ貼り付けられる。第１シール連結部Ｌ１は、複数の第１台紙切込部Ｓ１のうち、第１箱連結部Ｄ１に対応する第１台紙切込部Ｓ１の位置で屈曲させられる。上面シール部１３０及び後面シール部１２０は、第１シール連結部Ｌ１の屈曲部分（第１台紙切込部Ｓ１）が蓋体４の第１箱連結部Ｄ１に対向するように、蓋本体部４１及び蓋重なり部４２の外面にそれぞれ貼り付けられる。
【００４６】
ここで、上述したように、第１シール連結部Ｌ１は、複数の第１台紙切込部Ｓ１のうち、第１箱連結部Ｄ１に対応する第１台紙切込部Ｓ１の位置で屈曲させられる。すなわち、蓋本体部４１は、蓋本体部４１の外面の大きさに応じて、上面シール部１３０によって覆われる、又は、上面シール部１３０及び第１シール連結部Ｌ１によって覆われる。
【００４７】
また、台紙１９０には、第１台紙切込部Ｓ１、第２台紙切込部Ｓ２が設けられている。更に、台紙１９０には、第３シール連結部Ｌ３及び第４シール連結部Ｌ４に対向する部分に台紙切込部が設けられている。これにより、ラップフィルム箱用シール材１００の使用者は、シール部１１０をラップフィルム箱１の外面に貼り付ける際に、シール部１１０を貼り付けようとする外面に対向する部分の台紙１９０のみをシール部１１０から剥離して、シール部１１０の貼り付け作業を行うことができる。
【００４８】
特に、図９に示されるように、第１シール連結部Ｌ１に対向する台紙１９０の第１台紙対向領域Ｍ１には、複数の第１台紙切込部Ｓ１が設けられている。このため、使用者は、例えば、上面シール部１３０及び第１シール連結部Ｌ１を蓋本体部４１の外面に貼り付ける際に、蓋本体部４１の外面の大きさに応じて蓋本体部４１の外面に対向する部分の台紙１９０のみを剥離することができる。そして、使用者は、第１箱連結部Ｄ１に対応する位置の第１溝部Ｋ１で第１シール連結部Ｌ１を屈曲させた後、残りの台紙１９０を剥離して、後面シール部１２０及び第１シール連結部Ｌ１を蓋重なり部４２の外面に貼り付けることができる。
【００４９】
図１０に示されるように、前面シール部１４０の端部には、複数の小切片１５０が分離可能に連結されている。このため、使用者は、前壁部３２の外面の大きさに合わせて、前壁部３２の外面からはみ出た部分の小切片１５０を除去することができる。これにより、シール部１１０が箱体３の底壁部３１まで回り込むことを防止できる。また、小切片１５０は、保持シール１８０によって保持されている。このため、前面シール部１４０及び小切片１５０から台紙１９０が剥離されても、前面シール部１４０と小切片１５０とが分離しない。使用者は、前壁部３２の外面からはみ出た部分の小切片１５０を、保持シール１８０と共に除去することができる。
【００５０】
次に、ラップフィルム箱用シール材１００によってラップフィルム箱１を保護する保護方法について説明する。例えば、この保護方法は、第２溝部Ｋ２の位置で第２シール連結部Ｌ２を屈曲させると共に、ラップフィルム箱１（蓋本体部４１の外面）の大きさに合わせて複数の第１溝部Ｋ１のいずれかの位置で第１シール連結部Ｌ１を屈曲させる屈曲工程と、シール部１１０をラップフィルム箱１の外面に貼り付ける貼付工程とを含む。
【００５１】
なお、使用者は、ラップフィルム箱１の各外面のうち、いずれの面からシール部１１０を貼り付けてもよい。また、使用者は、第１シール連結部Ｌ１及び第２シール連結部Ｌ２を屈曲させた後に、シール部１１０をラップフィルム箱１の外面に貼り付けてもよい。あるいは、使用者は、例えば、上面シール部１３０を蓋本体部４１に貼り付けた後、第１シール連結部Ｌ１及び第２シール連結部Ｌ２を屈曲させてもよい。このように、使用者は、第１シール連結部Ｌ１及び第２シール連結部Ｌ２の屈曲と、シール部１１０の各部の貼り付けとを適宜の手順で行うことができる。また、使用者は、台紙１９０を剥離するタイミングについても適宜のタイミングで行うことができる。また、使用者は、箱体３の前壁部３２からはみ出した小切片１５０を除去するタイミングについても、適宜のタイミングで行うことができる。
【００５２】
以上のように、ラップフィルム箱用シール材１００は、シール部１１０がラップフィルム箱１の外面に貼り付けられることによって、ラップフィルム箱１に保護機能を付与することができる。また、シール部１１０は、第１シール連結部Ｌ１及び第２シール連結部Ｌ２において屈曲可能である。このため、シール部１１０は、後面シール部１２０、上面シール部１３０、及び前面シール部１４０によって、ラップフィルム箱の外面の３つの面をそれぞれ覆う（保護する）ことができる。ここで、第１シール連結部Ｌ１には、第１溝部Ｋ１が複数設けられている。このため、シール部１１０は、複数の第１溝部Ｋ１のうち、ラップフィルム箱１の大きさ（蓋本体部４１の大きさ）に対応する位置の第１溝部Ｋ１で屈曲させられる。すなわち、シール部１１０は、第１シール連結部Ｌ１の屈曲位置と第２シール連結部Ｌ２の屈曲位置との間隔を、上面シール部１３０が貼り付けられるラップフィルム箱１の蓋本体部４１の外面の幅に対応させることができる。これにより、使用者は、シール部１１０をラップフィルム箱１の蓋本体部４１の外面の幅に合わせて容易に貼り付けることができる。以上のように、このラップフィルム箱用シール材１００は、種々の大きさのラップフィルム箱１に対して保護機能を容易に付与できる。
【００５３】
シール部１１０に対して撥水性、抗菌性等の種々の機能を持たせることにより、ラップフィルム箱用シール材１００は、ラップフィルム箱１に対して撥水性、抗菌性等の種々の機能を付与することができる。また、ラップフィルム箱用シール材１００は、ラップフィルム箱１に外面に貼り付けられたシール部１１０によって、ラップフィルム箱１の強度を向上させることができる。
【００５４】
上記のように、シール部１１０によって、ラップフィルム箱１の外面を覆うことができる。これにより、例えば、使用者は、所望の色又は柄等が施されたシール部１１０をラップフィルム箱１の外面に貼り付けることにより、所望の外観のラップフィルム箱１を容易に得ることができる。
【００５５】
第１シール連結部Ｌ１には、第１溝部Ｋ１が設けられている。この場合、使用者は、上面シール部１３０を貼り付ける蓋本体部４１の外面の幅に応じた位置の第１溝部Ｋ１を起点として、第１シール連結部Ｌ１を容易に屈曲させることができる。
【００５６】
台紙１９０のうち第１シール連結部Ｌ１が対向する第１台紙対向領域Ｍ１には、第１台紙切込部Ｓ１が複数設けられている。この場合、使用者は、上面シール部１３０を貼り付ける蓋本体部４１の外面の幅に応じて、貼り付ける部分のみシール部１１０から台紙１９０を剥離することができる。これにより、使用者は、シール部１１０の貼り付け作業を容易に行うことができる。
【００５７】
シール部１１０の前面シール部１４０の端部には、小切片１５０が分離可能に設けられている。これにより、使用者は、前面シール部１４０が貼り付けられる箱体３の前壁部３２の外面の大きさに応じて小切片１５０を分離することができ、所望の外面のみを覆うことができる。ここで、箱体３の前壁部３２の外面の大きさも様々である。また、例えば、ラップフィルム箱１の底壁部３１には、ラップフィルム２２の使用方法等の種々の情報が記載されていることがある。このため、使用者は、前壁部３２の外面の大きさに応じて小切片１５０を分離させることにより、箱体３の前壁部３２の外面をシール部１１０によって覆いつつ、底壁部３１を露出させることができる。
【００５８】
小切片１５０は、保持シール１８０によって前面シール部１４０に保持されている。この場合、ラップフィルム箱用シール材１００は、台紙１９０がシール部１１０から剥離された場合であっても、保持シール１８０よって小切片１５０を分離可能に保持できる。
【００５９】
シール部１１０の上面シール部１３０は、蓋体４の蓋本体部４１の外面に貼り付けられる。上面シール部１３０の両端部には、第１シール連結部Ｌ１及び第２シール連結部Ｌ２がそれぞれ設けられている。これにより、使用者は、ラップフィルム箱１における蓋本体部４１の幅に合わせて、容易にシール部１１０を貼り付けることができる。
【００６０】
以上、本発明の実施形態について説明したが、本発明は、上記実施形態に限定されるものではない。例えば、第１シール連結部Ｌ１に設けられた第１溝部Ｋ１は、第１シール連結部Ｌ１における第２方向の全域にわたって設けられていなくてもよい。例えば、第１シール連結部Ｌ１における第２方向の一部分にのみ設けられていてもよく、第２方向に沿って断続的に（破線状に）設けられていてもよい。第２溝部Ｋ２についても、第１溝部Ｋ１と同様に、第２シール連結部Ｌ２における第２方向の全域にわたって設けられていなくてもよい。
【００６１】
また、第１溝部Ｋ１は、断面において第１シール連結部Ｌ１の他の部位よりも薄肉であればよい。すなわち、第１溝部Ｋ１は、第１シール連結部Ｌ１の一部が圧縮されることによって形成された凹部であってもよい。第２溝部Ｋ２についても、第１溝部Ｋ１と同様に、断面において第２シール連結部Ｌ２の他の部位よりも薄肉であればよい。
【００６２】
例えば、第１シール連結部Ｌ１は、第１シール連結部Ｌ１の屈曲の起点となる構成であれば、第１屈曲起点部として第１溝部Ｋ１以外の構成を有していてもよい。例えば、第１シール連結部Ｌ１には、第１溝部Ｋ１に代えて、第２方向に沿って延在する脆弱部が設けられていてもよい。この脆弱部は、第１シール連結部Ｌ１の他の部位よりも強度が低い部位である。第２シール連結部Ｌ２も同様に、第２溝部Ｋ２に代えて脆弱部が設けられていてもよい。また、第１シール連結部Ｌ１には、第１溝部Ｋ１に代えて、第２方向に沿って並べて配置された複数の孔が設けられていてもよい。同様に、第２シール連結部Ｌ２には、第２溝部Ｋ２に代えて、第２方向に沿って並べて配置された複数の孔が設けられていてもよい。脆弱部又は孔が設けられている場合であっても、作業者は、第１シール連結部Ｌ１及び第２シール連結部Ｌ２を容易に屈曲させることができる。
【００６３】
また、第１溝部Ｋ１（第１屈曲起点部）は、第１シール連結部Ｌ１の表面（ラップフィルム箱１への貼り付け面に対して反対側の面）に設けられていてもよい。同様に、第２溝部Ｋ２（第２屈曲起点部）は、第２シール連結部Ｌ２の表面（ラップフィルム箱１への貼り付け面に対して反対側の面）に設けられていてもよい。
【００６４】
また、第２シール連結部Ｌ２についても、第１シール連結部Ｌ１と同様に、複数の第２溝部Ｋ２が設けられていてもよい。この場合、第１台紙切込部Ｓ１と同様に、第２台紙対向領域Ｍ２には第２台紙切込部Ｓ２が複数設けられていてもよい。これにより、シール部１１０は、種々の大きさのラップフィルム箱１に対して保護機能を容易に付与できる。
【００６５】
また、シール部１１０は、側面シール部１６０及び１７０を有していなくてもよい。さらに、シール部１１０は、小切片１５０を有していなくてもよい。
【００６６】
また、図１１に示される変形例に係るラップフィルム箱用シール材１００Ａのように、シール部１１０Ａには、第１方向に沿って延在するシール切込部Ｓ１０が設けられていてもよい。この場合、シール部１１０Ａは、シール切込部Ｓ１０で分割させられ得る。すなわち、第２方向の長さの異なるシール部１１０Ａが得られる。これにより、使用者は、ラップフィルム箱１の長さに応じたシール部１１０Ａを得ることができ、ラップフィルム箱１の外面に容易にシール部１１０Ａを貼り付けることができる。この場合、例えば、使用者は、前面シール部１４０から側面シール部１７０を分離して、対象とするラップフィルム箱１の蓋側壁部４４の外面に貼り付けてもよい。なお、シール切込部Ｓ１０は、シール部１１０Ａに対して複数設けられていてもよい。この場合、シール部１１０Ａにおける第２方向の中央部のシール部１１０Ａが、ラップフィルム箱１への貼り付けのために用いられてもよい。
【符号の説明】
【００６７】
１…ラップフィルム箱、３…箱体、４…蓋体、４１…蓋本体部、４２…蓋重なり部、１００，１００Ａ…ラップフィルム箱用シール材、１１０，１１０Ａ…シール部、１２０…後面シール部（第１シール部）、１３０…上面シール部（中央シール部）、１４０…前面シール部（第２シール部）、１５０…小切片、１８０…保持シール、１９０…台紙、Ｋ１…第１溝部（第１屈曲起点部、溝部）、Ｋ２…第２溝部（第２屈曲起点部）、Ｌ１…第１シール連結部、Ｌ２…第２シール連結部、Ｍ１…第１台紙対向領域、Ｍ２…第２台紙対向領域、Ｓ１…第１台紙切込部（台紙切込部）、Ｓ１０…シール切込部。
【図１】
2020059519.tif 000003
【図２】
2020059519.tif 000004
【図３】
2020059519.tif 000005
【図４】
2020059519.tif 000006
【図５】
2020059519.tif 000007
【図６】
2020059519.tif 000008
【図７】
2020059519.tif 000009
【図８】
2020059519.tif 000010
【図９】
2020059519.tif 000011
【図１０】
2020059519.tif 000012
【図１１】
2020059519.tif 000013